(57)【要約】  【課題】表示装置に表示された複数のアイテムのなかから所望のアイテムを簡単な操作でより確実に選択できるようにする。  【解決手段】ブラウザ端末１は、タッチセンサ機能付表示部１２に表示中のブラウザ処理部１１により生成されたＧＵＩ画面（ウェブページ）において、タップ操作のタップ位置を含む所定エリア内に位置するアイテムを選択候補アイテムとして検出し、これらの選択候補アイテムが列挙されたアイテム選択用ＧＵＩ画面を生成する。そして、タッチセンサ機能付表示部１２の表示内容をＧＵＩ画面からアイテム選択用ＧＵＩ画面に切り替える。それから、アイテム選択用ＧＵＩ画面において、タップ操作により指定された座標位置に対応する選択候補アイテムを選択する。【選択図】図１
2015194902.tif 000002
【特許請求の範囲】
【請求項１】
ポインティング操作により選択可能な複数のアイテムを含むＧＵＩ画面を表示する表示装置と、前記ポインティング操作を受け付けるためのポインティング装置と、を備えた情報処理装置であって、
前記表示装置に前記ＧＵＩ画面が表示されているときに、前記ポインティング装置により座標位置の指定を伴うポインティング操作を受け付けた場合に、当該ＧＵＩ画面において、当該ポインティング操作により指定された座標位置を含む所定エリア内に位置するアイテムを、選択候補アイテムとして検出する選択候補アイテム検出手段と、
前記選択候補アイテム検出手段により検出された選択候補アイテムが列挙されたアイテム選択用ＧＵＩ画面を生成するアイテム選択用ＧＵＩ画面生成手段と、
前記表示装置の表示内容を前記ＧＵＩ画面から前記アイテム選択用ＧＵＩ画面に切り替える表示制御手段と、
前記表示装置に前記アイテム選択用ＧＵＩ画面が表示されているときに、前記ポインティング装置により座標位置の指定を伴うポインティング操作を受け付けた場合に、当該アイテム選択用ＧＵＩ画面において、当該ポインティング操作により指定された座標位置に対応する選択候補アイテムを選択するアイテム選択手段と、を有する
ことを特徴とする情報処理装置。
【請求項２】
請求項１に記載の情報処理装置であって、
前記表示制御手段は、
前記表示装置に前記アイテム選択用ＧＵＩ画面が表示されているときに、前記ポインティング装置により座標位置の指定を伴うポインティング操作を受け付けた場合に、当該アイテム選択用ＧＵＩ画面において、当該ポインティング操作により指定された座標位置に対応する選択候補アイテムが存在しないならば、前記表示装置の表示内容を当該アイテム選択用ＧＵＩ画面から前記ＧＵＩ画面に戻す
ことを特徴とする情報処理装置。
【請求項３】
請求項１または２に記載の情報処理装置であって、
前記選択候補アイテム検出手段は、
前記表示装置に前記アイテム選択用ＧＵＩ画面が表示されているときに、前記ポインティング装置により座標位置の移動を伴うポインティング操作を受け付けた場合に、前記ＧＵＩ画面において、前記アイテム選択用ＧＵＩ画面に列挙されている前記選択候補アイテムを検出した所定エリアを決定するために用いた座標位置から、前記ポインティング操作により特定される座標位置の移動方向へ所定距離だけ離れた座標位置を含む所定エリア内に位置するアイテムを、新たな選択候補アイテムとして検出し、
前記アイテム選択用ＧＵＩ画面生成手段は、
前記表示装置に前記アイテム選択用ＧＵＩ画面が表示されているときに、前記選択候補アイテム検出手段により新たな選択候補アイテムが検出された場合に、当該新たな選択候補アイテムが列挙された新たなアイテム選択用ＧＵＩ画面を生成し、
前記表示制御手段は、
前記表示装置に前記アイテム選択用ＧＵＩ画面が表示されているときに、前記アイテム選択用ＧＵＩ画面生成手段により新たなアイテム選択用ＧＵＩ画面が生成された場合に、前記表示装置の表示内容を当該新たなアイテム選択用ＧＵＩ画面に更新する
ことを特徴とする情報処理装置。
【請求項４】
ポインティング操作により選択可能な複数のアイテムを含むＧＵＩ画面を表示する表示装置と、前記ポインティング操作を受け付けるためのポインティング装置と、を備えたコンピュータで読み取り可能なプログラムであって、
前記プログラムは、
前記表示装置に前記ＧＵＩ画面が表示されているときに、前記ポインティング装置により座標位置の指定を伴うポインティング操作を受け付けた場合に、当該ＧＵＩ画面において、当該ポインティング操作により指定された座標位置を含む所定エリア内に位置するアイテムを、選択候補アイテムとして検出する選択候補アイテム検出手段、
前記選択候補アイテム検出手段により検出された選択候補アイテムが列挙されたアイテム選択用ＧＵＩ画面を生成するアイテム選択用ＧＵＩ画面生成手段、
前記表示装置の表示内容を前記ＧＵＩ画面から前記アイテム選択用ＧＵＩ画面に切り替える表示制御手段、
および、前記表示装置に前記アイテム選択用ＧＵＩ画面が表示されているときに、前記ポインティング装置により座標位置の指定を伴うポインティング操作を受け付けた場合に、当該アイテム選択用ＧＵＩ画面において、当該ポインティング操作により指定された座標位置に対応する選択候補アイテムを選択するアイテム選択手段として、前記コンピュータを機能させる
ことを特徴とするコンピュータで読み取り可能なプログラム。
【請求項５】
ポインティング装置および表示装置を備えた情報処理装置の画面操作方法であって、
ポインティング操作により選択可能な複数のアイテムを含むＧＵＩ画面が前記表示装置に表示されているときに、前記ポインティング装置により座標位置の指定を伴うポインティング操作を受け付けた場合に、当該ＧＵＩ画面において、当該ポインティング操作により指定された座標位置を含む所定エリア内に位置するアイテムを、選択候補アイテムとして検出し、
前記検出された選択候補アイテムが列挙されたアイテム選択用ＧＵＩ画面を生成して、前記表示装置の表示内容を、前記ＧＵＩ画面から、当該生成したアイテム選択用ＧＵＩ画面に切り替え、
前記表示装置に前記アイテム選択用ＧＵＩ画面が表示されているときに、前記ポインティング装置により座標位置の指定を伴うポインティング操作を受け付けた場合に、当該アイテム選択用ＧＵＩ画面において、当該ポインティング操作により指定された座標位置に対応する選択候補アイテムを選択する
ことを特徴とする画面操作方法。
【発明の詳細な説明】
【技術分野】
【０００１】
本発明は、ポインティング装置を利用して、表示画面上に表示されたアンカー、アイコン等のアイテムを選択する技術に関する。
【背景技術】
【０００２】
特許文献１には、ブラウザの表示画面を拡大するなどの手間をかけることなく、タッチパネルを用いて簡単かつ確実に、表示画面上に表示されたアイテムを選択することが可能な情報処理装置が開示されている。この情報処理装置は、タッチパネルがタッチ操作され、かつ、このタッチ状態を維持したままタッチパネルにおけるタッチ位置が移動したことを検出すると、表示画面において、移動先のタッチ位置を含む所定エリア内に表示されているすべてのアイテムのそれぞれをポップアップ表示するとともに、移動先のタッチ位置に最も近いアイテムのポップアップ表示を、他のアイテムのポップアップ表示から識別可能に強調表示する。その後、タッチ解除操作がなされ、タッチ状態から非タッチ状態に変化したことを検出すると、強調表示でポップアップ表示されているアイテムが選択されたと判断し、このアイテムに応じた処理を実行する。
【先行技術文献】
【特許文献】
【０００３】
【特許文献１】特開２０１１−１９２１７３号公報
【発明の概要】
【発明が解決しようとする課題】
【０００４】
しかしながら、特許文献１に記載の情報処理装置では、ユーザは、所望のアイテムが強調表示でポップアップ表示されるまで、タッチ状態を維持しながらタッチ位置を少しずつ移動させなければならない。このため、操作が煩わしい。また、この情報処理装置がスマートホン等の携帯端末である場合、携帯端末の持ち方によっては、ポップアップ表示が指で隠れてしまい、ユーザは、アイテムを視認できないことがある。このため、所望のアイテムを選択しそこなう可能性がある。
【０００５】
本発明は上記事情に鑑みてなされたものであり、その目的は、表示装置に表示された複数のアイテムのなかから所望のアイテムを簡単な操作でより確実に選択できる技術を提供することにある。
【課題を解決するための手段】
【０００６】
上記課題を解決するために、本発明は、表示装置に表示しているＯＳ（Ｏｐｅｒａｔｉｎｇ  Ｓｙｓｔｅｍ）、ウェブブラウザ、アプリケーション等のＧＵＩ（Ｇｒａｐｈｉｃａｌ  Ｕｓｅｒ  Ｉｎｔｅｒｆａｃｅ）画面において、ポインティング操作により指定された座標位置を含む所定エリア内に位置するアイコン、アンカー等のアイテムを検出して、検出したアイテムが列挙されたアイテム選択用ＧＵＩ画面を生成し、表示装置の表示内容をＧＵＩ画面からアイテム選択用ＧＵＩ画面に切り替える。そして、アイテム選択用ＧＵＩ画面において、ポインティング操作により指定された座標位置に対応するアイテムを選択する。
【０００７】
例えば、本発明は、ポインティング操作により選択可能な複数のアイテムを含むＧＵＩ画面を表示する表示装置と、前記ポインティング操作を受け付けるためのポインティング装置と、を備えた情報処理装置であって、
前記表示装置に前記ＧＵＩ画面が表示されているときに、前記ポインティング装置により座標位置の指定を伴うポインティング操作を受け付けた場合に、当該ＧＵＩ画面において、当該ポインティング操作により指定された座標位置を含む所定エリア内に位置するアイテムを、選択候補アイテムとして検出する選択候補アイテム検出手段と、
前記選択候補アイテム検出手段により検出された選択候補アイテムが列挙されたアイテム選択用ＧＵＩ画面を生成するアイテム選択用ＧＵＩ画面生成手段と、
前記表示装置の表示内容を前記ＧＵＩ画面から前記アイテム選択用ＧＵＩ画面に切り替える表示制御手段と、
前記表示装置に前記アイテム選択用ＧＵＩ画面が表示されているときに、前記ポインティング装置により座標位置の指定を伴うポインティング操作を受け付けた場合に、当該アイテム選択用ＧＵＩ画面において、当該ポインティング操作により指定された座標位置に対応する選択候補アイテムを選択するアイテム選択手段と、を有する。
【発明の効果】
【０００８】
本発明によれば、ＧＵＩ画面上においてポインティング操作することより、このポインティング操作により指定された座標位置を含む所定エリアに位置するアイテムが選択候補アイテムとして列挙されたアイテム選択用ＧＵＩ画面が生成され、表示装置の表示内容がＧＵＩ画面からこのアイテム選択用ＧＵＩ画面に切り替わるので、選択候補アイテムをＧＵＩ画面上のアイテムに比べて大きく表示することができる。したがって、所望のアイテムを簡単な操作でより確実に選択することができる。
【図面の簡単な説明】
【０００９】
【図１】図１は、本発明の一実施の形態に係るブラウザ端末１の概略機能構成図である。
【図２】図２は、本発明の一実施の形態に係るブラウザ端末１の動作を説明するためのフロー図である。
【図３】図３（Ａ）〜（Ｃ）は、本発明の一実施の形態に係るブラウザ端末１の表示画面の遷移例を説明するための図である。
【発明を実施するための形態】
【００１０】
以下に、本発明の一実施の形態について説明する。
【００１１】
図１は、本実施の形態に係るブラウザ端末１の概略機能構成図である。
【００１２】
本実施の形態に係るブラウザ端末１は、携帯電話機、スマートホン、タブレット端末等のウェブブラウザ機能を備えた携帯端末であり、図示するように、無線通信部１０と、ブラウザ処理部１１と、タッチセンサ機能付表示部１２と、表示制御部１３と、ＧＵＩ画面記憶部１４と、タッチ操作検出部１５と、選択候補アイテム検出部１６と、アイテム選択用ＧＵＩ画面生成部１７と、アイテム選択用ＧＵＩ画面記憶部１８と、選択アイテム検出部１９と、を有する。
【００１３】
無線通信部１０は、携帯電話網、無線ＬＡＮ等の無線ネットワークに接続するための通信インターフェースである。
【００１４】
ブラウザ処理部１１は、ウェブサイト、ブログサイト等のネットワーク上で公開されているウェブページを閲覧するために必要な処理を行う。
【００１５】
タッチセンサ機能付表示部１２は、操作者のタッチ操作（タップ操作、フリック操作等）を受け付けるとともに、タッチ操作により選択可能な複数のアイテム（アンカー、アイコン等）を含むＧＵＩ画面を表示するグラフィカルユーザインターフェースである。このタッチセンサ機能付表示部１２には、例えばタッチパネルディスプレイが用いられる。
【００１６】
表示制御部１３は、ブラウザ処理部１１、アイテム選択用ＧＵＩ画面生成部１７、あるいは選択アイテム検出部１９の指示に従い、タッチセンサ機能付表示部１２の表示内容を制御する。
【００１７】
ＧＵＩ画面記憶部１４は、ブラウザ処理部１１によって生成され、表示制御部１３によってタッチセンサ機能付表示部１２に表示されたＧＵＩ画面（ウェブページ）のデータを記憶する。
【００１８】
タッチ操作検出部１５は、タッチセンサ機能付表示部１２に対する操作者のタッチ操作を検出する。
【００１９】
選択候補アイテム検出部１６は、ブラウザ処理部１１によって生成されたＧＵＩ画面がタッチセンサ機能付表示部１２に表示されているときに、タッチ操作検出部１５がタップ操作を受け付けた場合に、ＧＵＩ画面記憶部１４に記憶されているデータにより特定されるこのＧＵＩ画面において、タップ操作により特定される座標位置を含む検出エリア内に位置するアイテムを、選択候補アイテムとして検出する。
【００２０】
また、選択候補アイテム検出部１６は、アイテム選択用ＧＵＩ画面生成部１７によって生成された後述のアイテム選択用ＧＵＩ画面がタッチセンサ機能付表示部１２に表示されているときに、タッチ操作検出部１５がフリック操作を受け付けた場合に、ＧＵＩ画面記憶部１４に記憶されているデータにより特定されるＧＵＩ画面において、表示中のアイテム選択用ＧＵＩ画面に列挙されている選択候補アイテムを検出した検出エリアを決定するために用いた座標位置から、フリック操作により特定される座標位置の移動方向（フリック方向）へ所定距離だけ離れた座標位置を含む検出エリア内に位置するアイテムを、新たな選択候補アイテムとして検出する。
【００２１】
アイテム選択用ＧＵＩ画面生成部１７は、選択候補アイテム検出部１６により検出された選択候補アイテムが列挙されたアイテム選択用ＧＵＩ画面のデータを生成する。
【００２２】
アイテム選択用ＧＵＩ画面記憶部１８は、アイテム選択用ＧＵＩ画面生成部１７によって生成され、表示制御部１３によってタッチセンサ機能付表示部１２に表示されたアイテム選択用ＧＵＩ画面のデータを記憶する。
【００２３】
選択アイテム検出部１９は、アイテム選択用ＧＵＩ画面生成部１７によって生成されたアイテム選択用ＧＵＩ画面がタッチセンサ機能付表示部１２に表示されているときに、タッチ操作検出部１５がタップ操作を受け付けた場合に、アイテム選択用ＧＵＩ画面記憶部１８に記憶されているデータにより特定されるこのアイテム選択用ＧＵＩ画面において、タップ操作により特定される座標位置に対応するアイテムを、選択アイテムとして検出する。そして、ＧＵＩ画面記憶部１４に記憶されているデータにより特定されるＧＵＩ画面において、選択アイテムに対応するアイテムがタップ操作されたものとして、その操作内容をブラウザ処理部１１に渡す。
【００２４】
図１に示すブラウザ端末１の機能構成は、例えば、ＣＰＵと、メモリと、ＳＳＤ（Ｓｏｌｉｄ  Ｓｔａｔｅ  Ｄｒｉｖｅ）、フラッシュメモリ等の補助記憶装置と、携帯電話用モデム、無線ＬＡＮアダプタ等の無線通信インターフェースと、タッチパネルディスプレイと、を備えた携帯電話機、スマートホン、タブレット端末等の情報処理装置において、ＣＰＵが所定のプログラムを補助記憶装置からメモリ上にロードして実行することにより実現される。
【００２５】
図２は、本実施の形態に係るブラウザ端末１の動作を説明するためのフロー図である。このフローは、表示制御部１３が、ＧＵＩ画面（ウェブページ）のデータをブラウザ処理部１１から受け取ることにより開始される。
【００２６】
まず、表示制御部１３は、ブラウザ処理部１１から受け取ったＧＵＩ画面のデータに従ってタッチセンサ機能付表示部１２にＧＵＩ画面を表示するとともに、このＧＵＩ画面のデータをＧＵＩ画面記憶部１４に記憶する（Ｓ１００）。
【００２７】
つぎに、タッチ操作検出部１５は、表示制御部１３によりタッチセンサ機能付表示部１２にＧＵＩ画面が表示されている状態において、タッチセンサ機能付表示部１２に対するタッチ操作を検出すると（Ｓ１０１でＹＥＳ）、その操作内容を選択候補アイテム検出部１６に通知する。
【００２８】
これを受けて、選択候補アイテム検出部１６は、タッチ操作の操作内容を解析する（Ｓ１０２）。このタッチ操作が、座標位置を指定するタップ操作以外のタッチ操作であると判定したならば（Ｓ１０２で「タップ以外」）、タッチ操作検出部１５から受け取ったタッチ操作の操作内容をブラウザ処理部１１に中継し（Ｓ１１７）、このフローを終了する。これにより、ブラウザ処理部１１は、タッチ操作の操作内容に応じた処理を実行し、その処理内容に応じて新たなＧＵＩ画面のデータを生成して、この新たなＧＵＩ画面のデータを表示制御部１３に通知する。これにより、図２に示すフローが新たに開始される。
【００２９】
一方、選択候補アイテム検出部１６は、タッチ操作検出部１５から受け取ったタッチ操作がタップ操作であると判定したならば（Ｓ１０２で「タップ」）、ＧＵＩ画面記憶部１４に記憶されているＧＵＩ画面のデータ（タッチセンサ機能付表示部１２に表示中のＧＵＩ画面のデータ）において、タップ操作により指定された座標位置（タップ位置）を含む所定サイズのエリアである検出エリアを決定する（Ｓ１０３）。それから、選択候補アイテム検出部１６は、ＧＵＩ画面記憶部１４に記憶されているＧＵＩ画面のデータにおいて、決定した検出エリア内に位置するアイテムを検出する（Ｓ１０４）。なお、検出エリアのサイズを操作者が設定可能としてもよい。
【００３０】
ここで、検出エリア内に位置するアイテムが一つのみあるいは存在しない場合（Ｓ１０４でＮＯ）、選択候補アイテム検出部１６は、タッチ操作検出部１５から受け取ったタッチ操作の操作内容をブラウザ処理部１１に中継し（Ｓ１１７）、このフローを終了する。これにより、ブラウザ処理部１１は、タッチ操作の操作内容に応じた処理を実行し、その処理内容に応じて新たなＧＵＩ画面のデータを生成して、この新たなＧＵＩ画面のデータを表示制御部１３に通知する。これにより、図２に示すフローが新たに開始される。
【００３１】
一方、検出エリア内に位置するアイテムが複数存在する場合（Ｓ１０４でＹＥＳ）、選択候補アイテム検出部１６は、これらのアイテムを、選択候補アイテムとしてアイテム選択用ＧＵＩ画面生成部１７に渡す。これを受けて、アイテム選択用ＧＵＩ画面生成部１７は、選択候補アイテム検出部１６から受け取った選択候補アイテムが列挙されたアイテム選択用ＧＵＩ画面のデータを生成する（Ｓ１０５）。アイテム選択用ＧＵＩ画面において、それぞれの選択候補アイテムには、例えば、その表示位置を中心とする所定サイズのエリアが、その選択候補アイテムの選択を受け付ける選択エリアとして定められている。そして、このアイテム選択用ＧＵＩ画面のデータを表示制御部１３に渡す。これを受けて、表示制御部１３は、アイテム選択用ＧＵＩ画面生成部１７から受け取ったアイテム選択用ＧＵＩ画面のデータに従って、タッチセンサ機能付表示部１２の表示内容をＧＵＩ画面からアイテム選択用ＧＵＩ画面に切り替えるとともに、このアイテム選択用ＧＵＩ画面のデータをアイテム選択用ＧＵＩ画面記憶部１８に記憶する（Ｓ１０６）。
【００３２】
つぎに、タッチ操作検出部１５は、表示制御部１３によりタッチセンサ機能付表示部１２にアイテム選択用ＧＵＩ画面が表示されている状態において、タッチセンサ機能付表示部１２に対するタッチ操作を検出すると（Ｓ１０７でＹＥＳ）、その操作内容を選択アイテム検出部１９に通知する。
【００３３】
これを受けて、選択アイテム検出部１９は、タッチ操作の操作内容を解析する（Ｓ１０８）。このタッチ操作が、タップ操作および座標位置の移動を伴うフリック操作以外のタッチ操作であると判定した場合（Ｓ１０８で「タップ・フリック以外」）、Ｓ１０７に戻って、新たなタッチ操作を待つ。
【００３４】
また、選択アイテム検出部１９は、タッチ操作検出部１５から受け取ったタッチ操作がタップ操作であると判定した場合（Ｓ１０８で「タップ」）、アイテム選択用ＧＵＩ画面記憶部１８に記憶されているアイテム選択用ＧＵＩ画面のデータ（タッチセンサ機能付表示部１２に表示中のアイテム選択用ＧＵＩ画面のデータ）において、タップ位置に対応付けられた選択候補アイテム（タップ位置が、その選択エリアに属する選択候補アイテム）があるか否かを判断する（Ｓ１０９）。そして、タップ位置に対応付けられた選択候補アイテムがあるならば（Ｓ１０９でＹＥＳ）、選択アイテム検出部１９は、この選択候補アイテムを選択アイテムに決定する（Ｓ１１０）。それから、選択アイテム検出部１９は、ＧＵＩ画面記憶部１４に記憶されているＧＵＩ画面のデータ（タッチセンサ機能付表示部１２に最後に表示されたＧＵＩ画面のデータ）において、選択アイテムに対応するアイテムの表示位置がタップ操作されたものとし、その操作内容をブラウザ処理部１１に通知し（Ｓ１１１）、このフローを終了する。これにより、ブラウザ処理部１１は、タップ操作の操作内容に応じた処理（選択アイテムに設定された情報に応じた処理）を実行して新たなＧＵＩ画面のデータを生成し、この新たなＧＵＩ画面のデータを表示制御部１３に通知する。
【００３５】
一方、タップ位置に対応付けられた選択候補アイテムがないならば（Ｓ１０９でＮＯ）、選択アイテム検出部１９は、操作者によりアイテム選択用ＧＵＩ画面のキャンセル操作がなされたものと判断し、元のＧＵＩ画面への表示切り替えを表示制御部１３に指示する。これを受けて、表示制御部１３は、ＧＵＩ画面記憶部１４に記憶されているＧＵＩ画面のデータに従い、タッチセンサ機能付表示部１２の表示内容をアイテム選択用ＧＵＩ画面から元のＧＵＩ画面に切り替える（Ｓ１１２）。その後、Ｓ１０１に戻って、新たなタッチ操作を待つ。
【００３６】
また、選択アイテム検出部１９は、タッチ操作検出部１５から受け取ったタッチ操作がフリック操作であると判定した場合（Ｓ１０８で「フリック」）、このフリック操作のフリック方向を選択候補アイテム検出部１６に通知する。これを受けて、選択候補アイテム検出部１６は、ＧＵＩ画面記憶部１４に記憶されているＧＵＩ画面のデータにおいて、前回（Ｓ１０３）、選択候補アイテムの検出エリアを決定するために用いた座標位置（Ｓ１０１におけるタップ操作によるタップ位置）からフリック方向へ所定距離だけ離れた座標位置を含む所定サイズのエリアである検出エリアを再度決定する（Ｓ１１３）。それから、選択候補アイテム検出部１６は、ＧＵＩ画面記憶部１４に記憶されているＧＵＩ画面のデータにおいて、再度決定した検出エリア内に位置するアイテムを検出する（Ｓ１１４）。そして、検出したアイテムを、選択候補アイテムとしてアイテム選択用ＧＵＩ画面生成部１７に渡す。
【００３７】
これを受けて、アイテム選択用ＧＵＩ画面生成部１７は、選択候補アイテム検出部１６から受け取った選択候補アイテムが列挙されたアイテム選択用ＧＵＩ画面のデータを再度生成する（Ｓ１１５）。そして、このアイテム選択用ＧＵＩ画面のデータを表示制御部１３に渡す。これを受けて、表示制御部１３は、アイテム選択用ＧＵＩ画面生成部１７から受け取ったアイテム選択用ＧＵＩ画面のデータに従って、タッチセンサ機能付表示部１２に表示中のアイテム選択用ＧＵＩ画面を更新するとともに、アイテム選択用ＧＵＩ画面記憶部１８の記憶内容を更新する（Ｓ１１６）。それから、Ｓ１０７に戻って、新たなタッチ操作を待つ。
【００３８】
図３（Ａ）〜（Ｃ）は、本実施の形態に係るブラウザ端末１の表示画面の遷移例を説明するため図である。
【００３９】
ここで、図３（Ａ）は、ブラウザ処理部１１によって生成された、複数のアイテム（アンカー）が列挙されたメニューウィンドウ１２０１を含むＧＵＩ画面（ウェブページ）１２０が、タッチセンサ機能付表示部１２に表示されている例を示している。
【００４０】
まず、図３（Ａ）に示すＧＵＩ画面１２０において、メニューウィンドウ１２０１内の座標位置１２０２をタップ位置とするタップ操作がなされると、選択候補アイテム検出部１６は、この座標位置１２０２を含む所定サイズの検出エリア１２０３を決定し、この検出エリア１２０３内に位置するアイテム（「設計者教育」、「社外持ち出し」、「ブックマーク」、「ＩＳＯ９０００」）を選択候補アイテムに決定する。そして、アイテム選択用ＧＵＩ画面生成部１７は、図３（Ｂ）に示すように、これらの選択候補アイテム１２１０〜１２１３が列挙されたアイテム選択用ＧＵＩ画面１２１を生成し、表示制御部１３に、タッチセンサ機能付表示部１２の表示内容を、ＧＵＩ画面１２０から、このアイテム選択用ＧＵＩ画面１２１に切り替えさせる。
【００４１】
つぎに、図３（Ｂ）に示すアイテム選択用ＧＵＩ画面１２１において、いずれかの選択候補アイテム１２１０〜１２１３の選択エリア内の座標位置１２１４をタップ位置とするタップ操作がなされると、選択アイテム検出部１９は、タップ位置が属する選択エリアに対応付けられた選択候補アイテム１２１０〜１２１３を選択アイテムに決定する。ここでは、タップ位置（座標位置１２１４）が選択候補アイテム「ブックマーク」１２１２の選択エリアに属しているため、選択候補アイテム「ブックマーク」１２１２が選択アイテムに決定される。それから、選択アイテム検出部１９は、図３（Ａ）に示す元のＧＵＩ画面１２０上において、メニューウィンドウ１２０１内のアイテムのうち、選択アイテム「ブックマーク」１２１２に対応するアイテム「ブックマーク」がタップ操作されたものとし、その操作内容をブラウザ処理部１１に通知する。これにより、ブラウザ処理部１１は、アイテム「ブックマーク」に設定されたハイパーリンク情報等に従って処理を実行する。
【００４２】
また、図３（Ｂ）に示すアイテム選択用ＧＵＩ画面１２１において、選択候補アイテム１２１０〜１２１３の選択エリア外の座標位置１２１５をタップ位置とするタップ操作がなされると、選択アイテム検出部１９は、アイテム選択用ＧＵＩ画面１２１のキャンセル操作がなされたものと判断し、表示制御部１３に、タッチセンサ機能付表示部１２の表示内容を、このアイテム選択用ＧＵＩ画面１２１から、図３（Ａ）に示す元のＧＵＩ画面１２０に切り替えさせる。
【００４３】
また、図３（Ｂ）に示すアイテム選択用ＧＵＩ画面１２１において、入力される座標位置の移動を伴うフリック操作がなされると、選択候補アイテム検出部１６は、図３（Ａ）に示すＧＵＩ画面１２０において、図３（Ｂ）に示すアイテム選択用ＧＵＩ画面１２１に列挙した選択候補アイテム１２１０〜１２１３の検出エリア１２０３を決定するために用いた座標位置１２０２から、フリック操作のフリック方向（座標位置の移動方向）１２１６に所定距離だけ離れた座標位置１２０４を含む所定サイズの検出エリア１２０５を再度決定する。そして、この検出エリア１２０５内に位置するアイテム（「ＩＳＯ９０００」、「開発テーマ」、「研究発表」、「新技術調査報告」）を新たな選択候補アイテムに決定する。そして、アイテム選択用ＧＵＩ画面生成部１７は、図３（Ｃ）に示すように、これらの選択候補アイテム１２２０〜１２２３が列挙されたアイテム選択用ＧＵＩ画面１２２を生成し、表示制御部１３に、タッチセンサ機能付表示部１２の表示内容を、表示中のアイテム選択用ＧＵＩ画面１２１から、このアイテム選択用ＧＵＩ画面１２２に更新させる。
【００４４】
以上、本発明の一実施の形態を説明した。
【００４５】
本実施の形態において、ブラウザ端末１は、ブラウザ処理部１１により生成されたＧＵＩ画面（ウェブページ）をタッチセンサ機能付表示部１２へ表示中に、タップ操作がなされた場合、このＧＵＩ画面において、タップ操作のタップ位置を含む所定サイズのエリア内に位置するアイテムを選択候補アイテムとして検出し、これらの選択候補アイテムが列挙されたアイテム選択用ＧＵＩ画面を生成する。そして、タッチセンサ機能付表示部１２の表示内容をＧＵＩ画面からアイテム選択用ＧＵＩ画面に切り替える。それから、このアイテム選択用ＧＵＩ画面において、例えばタップ操作等の操作により選択候補アイテムの選択を受け付ける。したがって、アイテム選択用ＧＵＩ画面上の選択候補アイテムをＧＵＩ画面上のアイテムに比べて大きく表示することができるので、所望のアイテムを簡単な操作でより確実に選択することができる。
【００４６】
また、本実施の形態において、ブラウザ端末１は、タッチセンサ機能付表示部１２にアイテム選択用ＧＵＩ画面が表示されているときにタップ操作を受け付けた場合に、アイテム選択用ＧＵＩ画面において、タップ操作のタップ位置に対応する選択候補アイテムが存在しないならば、アイテム選択用ＧＵＩ画面のキャンセル操作がなされたものと判断し、タッチセンサ機能付表示部１２の表示内容をアイテム選択用ＧＵＩ画面から元のＧＵＩ画面に切り替える。このため、簡単な操作でアイテム選択用ＧＵＩ画面から元のＧＵＩ画面に切り替えることができる。
【００４７】
また、本実施の形態において、ブラウザ端末１は、アイテム選択用ＧＵＩ画面をタッチセンサ機能付表示部１２へ表示中にフリック操作がなされた場合、最後に表示されたＧＵＩ画面において、表示中のアイテム選択用ＧＵＩ画面に列挙されている選択候補アイテムを検出したエリアを決定するために用いた座標位置から、フリック操作のフリック方向へ所定距離だけ離れた座標位置を含むエリア内に位置するアイテムを、新たな選択候補アイテムとして検出し、これらの選択候補アイテムが列挙されたアイテム選択用ＧＵＩ画面を新たに生成する。そして、タッチセンサ機能付表示部１２の表示内容を、表示中のアイテム選択用ＧＵＩ画面から、新たに生成したアイテム選択用ＧＵＩ画面に更新する。したがって、タッチセンサ機能付表示部１２の表示内容をアイテム選択用ＧＵＩ画面から元のＧＵＩ画面に切り替えて、このＧＵＩ画面に対して再度タップ操作をしなくても、アイテム選択用ＧＵＩ画面を新たなアイテム選択用ＧＵＩ画面に更新することが可能となり、使い勝手が向上する。
【００４８】
なお、本発明は上記の実施の形態に限定されるものではなく、その要旨の範囲内で数々の変形が可能である。
【００４９】
例えば、上記の実施の形態では、本発明を携帯電話機、スマートホン、タブレット端末等のウェブブラウザ機能を備えた携帯端末であるブラウザ端末１に適用した場合を例にとり説明した。しかし、本発明はこれに限定されない。本発明は、無線端末であるか有線端末であるかの別によらず、ＯＳ、ウェブブラウザ、アプリケーション等のＧＵＩ画面を表示する表示装置を備えた情報処理装置に広く適用できる。また、通信機能の有無、ウェブブラウザ機能の有無等によらず、操作者からの入力操作をＧＵＩ画面で受け付ける入力装置にも広く適用できる。例えば、家電機器等の各種機器の設定部、コントローラ等にも適用できる。
【００５０】
また、上記の実施の形態では、入力手段としてタッチセンサ機能付表示部１２のタッチセンサを利用しているが、本発明はこれに限定されない。入力手段は、座標位置の指定を伴うタップ操作、および座標位置の移動を伴うフリック操作を受け付けることができるものであればよい。例えば、マウス等のその他のポインティングデバイスを入力手段として利用してもよい。
【００５１】
また、上記の実施の形態では、ＧＵＩ画面に対してタップ操作があった場合に、アイテム選択用ＧＵＩ画面に表示する選択候補アイテムの検出するためのエリアとして、タップ操作のタップ位置を含む所定サイズのエリアをＧＵＩ画面上に設定しているが、ＧＵＩ画面を、ＧＵＩ画面内のレイアウトに応じて複数のエリアに予め分割しておき、タップ操作のタップ位置を含む分割エリアに含まれるアイテムを選択候補アイテムとして検出してもよい。
【符号の説明】
【００５２】
１：ブラウザ端末、  １０：無線通信部、  １１：ブラウザ処理部、  １２：タッチセンサ機能付表示部、  １３：表示制御部、  １４：ＧＵＩ画面記憶部、  １５：タッチ操作検出部、  １６：選択候補アイテム検出部、  １７：アイテム選択用ＧＵＩ画面生成部、  １８：アイテム選択用ＧＵＩ画面記憶部、  １９：選択アイテム検出部
【図１】
2015194902.tif 000003
【図２】
2015194902.tif 000004
【図３】
2015194902.tif 000005